(57)【要約】      （修正有）【課題】バラストタンクの水位状態を検知するレベル検知装置と、バラストタンクに漏洩されたガスの漏洩状態を検知するガス検知装置において、空気の吐出とガス吸引とを兼用パイプを用いることにより、資材の節約、施設作業の簡略化が計れる装置を提供する【解決手段】レベル検知装置とガス検知装置を構成する空気吐出制御機構１と、ガス吸引制御機構４から、バラストタンクに配設された空気圧入筒１３とガス吸引筒１５とを空気圧入とガス吸引を兼用パイプ８を以て連通し、バラストタンク中に配する空気圧入筒とガス吸引筒はペア状態で配置し、ガス吸引筒を工夫を凝したh型のものとした。【選択図】図１
2016188023.tif 000002
【特許請求の範囲】
【請求項１】
複数の空気吹出口を配する空気吹出部を配して成り、バラストタンクを複数に区分けした各区画タンクに配されたそれぞれの空気圧入筒に吹込まれた空気による各空気圧入筒内の気圧状態を感知して、その気圧状態に対応した機能を発揮する機材を配して成る空気供給吐出制御機構と、
複数のガス吸引口を配するガス吸引部を配して成り、バラストタンクを複数に区分けした各区画タンクに配されたそれぞれのガス吸引筒に吸引されたガスによる各区画タンク内のガス漏洩状態を感知し、そのガス漏洩状態に対応する機能を発揮する機材を配して成るガス吸引制御機構から成り、
前記した空気吐出制御機構に設けられた複数の空気吹出口には、それぞれ空気吹出補助管を、前記ガス吸引機構に設けられた複数のガス吸引にはそれぞれガス吸引補助管を連通する状態で連結し、
前記したそれぞれの空気吹出導管とそれぞれのガス吸引導管は、一つ一つの空気吹出導管と、一つ一つのガス吸引導管とは、
それぞれ空気吹出補助管とガス吸引補助管とから成るペアーの補助管とし、ペアーとして組合せになったそれぞれの補助管のそれぞれの先端開口には、空気空気吐出制御機構、ガス吸引制御機構から前記したそれぞれの区画タンク配置位置に達する長さの空気吐出ガス吸引を兼用するパイプの一端に、それぞれのペアーとなった補助管の先端開に切替弁を介在させて連結し、
それぞれの兼用パイプの末端開口にはそれぞれ二股分岐パイプを取り付け、その二股分岐パイプの一方の枝管には空気圧入パイプを介して、空気圧入筒を、他方の枝管にはガス吸引パイプを介してガス吸引筒を取り付けて、前記した空気圧入筒とガス吸引筒をそれぞれの区画タンク内に一組の空気圧入筒とガス吸引筒として位置させて配置する構成とすることを特徴とするバラストタンク中のレベル検知とガス検知を併用する装置。
【請求項２】
複数の空気吹出口を配する空気吹出部を配して成り、バラストタンクを複数に区分けした各区画タンクに配されたそれぞれの空気圧入筒に吹込まれた空気による各空気圧入筒内の気圧状態を感知して、その気圧状態に対応した機能を発揮する機材を配して成る空気供給吐出制御機構と、
複数のガス吸引口を配するガス吸引部を配して成り、バラストタンクを複数に区分けした各区画タンクに配されたそれぞれのガス吸引筒に吸引されたガスによる各区画タンク内のガス漏洩状態を感知し、そのガス漏洩状態に対応する機能を発揮する機材を配して成るガス吸引制御機構から成り、
前記した空気吐出制御機構に設けられた複数の空気吹出口には、それぞれ空気吹出補助管を、前記ガス吸引機構に設けられた複数のガス吸引にはそれぞれガス吸引補助管を連通する状態で連結し、
前記したそれぞれの空気吹出導管とそれぞれのガス吸引導管は、一つ一つの空気吹出導管と、一つ一つのガス吸引導管とは、
それぞれ空気吹出補助管とガス吸引補助管とから成るペアーの補助管とし、ペアーとして組合せになったそれぞれの補助管のそれぞれの先端開口には、空気空気吐出制御機構、ガス吸引制御機構から前記したそれぞれの区画タンク配置位置に達する長さの空気吐出ガス吸引を兼用するパイプの一端に、それぞれのペアーとなった補助管の先端開に切替弁を介在させて連結し、
それぞれの兼用パイプの末端開口にはそれぞれ二股分岐パイプを取り付け、その二股分岐パイプの一方の枝管には逆止弁を配する空気圧入パイプを介して、空気圧入筒を、他方の枝管には逆止弁を配するガス吸引パイプを介してガス吸引筒を取り付けて、前記した空気圧入筒とガス吸引筒をそれぞれの区画タンク内に一組の空気圧入筒とガス吸引筒として位置させて配置する構成とすることを特徴とするバラストタンク中のレベル検知とガス検知を併用する装置。
【請求項３】
各区画タンクに配されるガス吸引筒１５は、従来型の一本の長足型の長尺筒１７の上側寄りに短足の鉤型に折り曲げたガス吸引短尺筒１８を切替弁１６を介して、前記長尺筒１７と連通するように取り付ける構成としたことを特徴とする請求項１、２記載のバラストタンク中のレベル検知とガス検知を併用する装置。
【発明の詳細な説明】
【技術分野】
【０００１】
本発明は、タンカーと呼ばれる船種の船舶のバラストタンクに注入された水の水位状態、並びに積荷タンクからバラストタンクに漏洩されたガスの漏洩状態を検知するレベル検知装置並びにガス検知装置に関する分野の発明である。
【背景技術】
【０００２】
これまでは、タンカーと呼ばれる船種の船舶に配設するレベル検知装置とガス装置とは先行技術文献の項に示すようにもともと別個の装置として取り扱われていたので、機関室に配されるレベル検知装置を構成する空気吐出制御機構とバラストタンクの各区画タンクに配される空気圧入筒を繋ぐ空気吐出パイプ並に、操舵室に配されるガス検知装置を構成するガス吸引制御機構とバラストタンクの各区画タンクに配されるガス吸引筒を繋ぐガス吸引パイプとは、それぞれ別個のパイプとして配設されていた。
【０００３】
従って、前記した各区画タンクに配される空気圧入筒も、ガス吸引筒も前記したようにそれぞれ空気吐出制御機構、ガス吸引制御機構の配置位置からバラストタンクに配された空気圧入筒とガス吸引筒まで配設するパイプを別々に配されたパイプにそれぞれ各別に取り付けられるものとされていた。
【０００４】
前記した空気吐出パイプもガス吸引パイプも、いずれも空気吐出制御機構、ガス吸引制御機構から各区画タンクの配置位置に達する長さのパイプとして甲板上に施設され、両パイプは二本並列にして施設されるのが普通であった。  
【０００５】
ところが甲板上には、前記した各制御機構から上記した各区画タンクの配置位置に達するまでの間には色々な機械、色々な設備が配設されている。  これら色々な機械や色々な設備は、上記パイプを甲板上に施設するのに障害物となる。上記パイプの施設にはこれらの障害物を避けて施設しなければならない。この障害物を避けて上記パイプを甲板上に施設するのには、上記したそれぞれのパイプに上記した障害物を避けて施設するための作業を行わなければならない。
【０００６】
これらの作業を行うのには、前記したそれぞれのパイプに対してそれぞれ同じような作業を行わなければならない。これらの作業は大変な労力をかけなければならないと言う不都合が生じる。
【０００７】
また、これまでのガス吸引筒は、一本の筒状に形成されていたので各区画タンクに注入された海水の水位如何によっては、海水も吸い込んでしまい、その結果ガス吸引制御機構を故障させてしまうという不都合を生じさせた。
【先行技術文献】
【特許文献】
【０００８】
【特許文献１】特許第295195号公報
【特許文献２】特許第398324号公報
【特許文献３】特許第4304109号公報
【特許文献４】特開2000-88629公報
【特許文献５】特開2014-24482公報
【発明の概要】
【発明が解決しようとする課題】
【０００９】
これまではタンカーと称する船種の船舶に、従来の技術思想でレベル検知装置、ガス検知装置を設置しようとするときは、その設置に当って同装置の構成材である空気吐出パイプ並びにガス吸引パイプの施設に背景技術の項に記載したような不都合を生じた。
【００１０】
本発明は、前記した不都合の生じるのを阻止するため、上記したパイプを空気吐出とガス吸引を兼用する一本のパイプとし、これまでのパイプ施設作業時に生ずる不都合を解消する技術を提供しようとするものである。
【００１１】
また、従来の技術思想からすると、各区画タンクに配設されるガス吸引筒は、背景技術の項に記載したような構成形式から成るものであり、同項に記載したような不都合を生じる恐れがあった。
【００１２】
本発明は、前記ガス吸引筒に上記不都合を生じる恐れのないガス吸引筒を使った技術を提供しようとするものである。
【課題を解決するための手段】
【００１３】
タンカーと称する船種の船舶の両舷側に沿った内側に形成されたバラストタンクを複数に区切った各区画タンクにそれぞれ配設されたそれぞれの空気圧入筒にそれぞれ空気を圧入し、空気圧入筒内に圧入された空気による空気圧入筒内の気圧状態をキャッチし、その気圧状態に対応する機材を配置した空気吐出制御機構に設けられた空気吐出口と、また、前記した区画タンクにそれぞれ配設されたそれぞれのガス吸引筒からそれぞれ各区画タンク内に漏洩されたガスを吸引するためのガス吸引口を設けるとともに、前記ガス吸引筒に吸引されたガスの各区画タンク内のガス漏洩状態に対応する機能を発揮するよう構成されたガス吸引制御機構のガス吸引口とからは、各区画タンクの配置位置に達する長さの空気吐出、ガス吸引を行うパイプをこれまでのように各別のパイプとすることなく両パイプを兼用パイプとし、その兼用パイプに三方切替弁を介在させて連結する。
【００１４】
前記兼用パイプの他端には二股分岐管を介在させ、二股分岐管の一方の枝管には、空気圧入筒を付け、他方の枝管にはガス吸引筒を取り付ける構成とした。
即ち各区画タンクには空気圧入筒とガス吸引筒とを組のものとして配設する構成とした。
【００１５】
この構成形態は、その１つとして、兼用パイプの他端と二股分岐管の間に切り替え弁を介在させた構成形態とすることもある。
【００１６】
またその２として切り替え弁を介さずして、二股分岐管の一方の枝管連結される空気圧入筒、並びに他の枝管に連結するガス吸引筒の間に逆止弁を介在させる構成形態とすることもある。
【００１７】
更に、その３として、ガス吸引筒は従来型のガス吸引筒を使うこともあれば、このガス吸引筒をローマ字の活字体の小文字h類似の状態に形成したガス吸引筒を使う。この型式のガス吸引筒は、長管と枝分かれ状に取り付ける鉤型折り曲げ短管の取り付け箇所に切り替え弁を配する構成とすることは勿論である。
【発明の効果】
【００１８】
本発明は、従来のレベル検知装置並びにガス検知装置とは別個のものとして取り扱われていたから、各装置を構成する空気吐出制御機構、ガス吸引制御機構からバラストタンクの各区画タンクに配設された空気圧入筒、ガス吸引筒には、それぞれ別々のパイプが用いられていたが、本発明によれば、上記パイプは空気の吐出とガス吸引とを兼用パイプを用いることが出来るので資材の節約、施設作業の簡略化が計れる。
また、各区画タンクには、空気圧入筒とガス吸引筒を一組のものとして配設する構成としたので、各区画タンク内の空気圧入筒、ガス吸引筒の配置に手間をかけずに簡単な作業で行える。
【００１９】
また、ガス吸引筒は、ガス吸引筒をローマ字の活字体小文字の型h形としたので、区画タンクに注入された水の水位に対応して使用でき、従来のガス吸引筒のように区画タンクに注入された水を吸い込んで空気制御機構を故障させるような不都合の生じるのを阻止することができる。
【図面の簡単な説明】
【００２０】
【図１】バラストタンクを複数に区切った一つの区画タンクに配置された本発明の実施例の説明図
【図２】バラストタンクを複数に区切った一つの区画タンクに配置した本発明の空気圧入筒とガス吸引筒の配置状態の一例を示す説明図
【発明を実施するための形態】
【００２１】
本発明の実施の形態を図面を示して説明する。
【００２２】
図１に示すように、タンカーと呼ばれる船種の船舶のバラストタンクを複数に区分けしたそれぞれの各区画タンク２０内に配設されたそれぞれの空気圧入筒１３に対して、それぞれ空気を吹込むそれぞれの空気吐出口２と、それぞれの空気吐出口２から吐出された空気を圧入された空気圧入筒内１３の気圧状態に対応する諸機能を働かせるレベル検知装置の空気吐出制御機構１のそれぞれの空気吐出口２に、空気吐出導管３を連通して取り付ける。
【００２３】
また、バラストタンクを複数に区分けしたそれぞれの各区画タンク２０に配されたそれぞれのガス吸引筒１４からそれぞれの区画タンク２０内に漏洩したガスを吸引し、そのガス漏洩状態を感知して、その状態に対応する諸機能を働かせるガス検知装置のガス吸引制御機構４のそれぞれのガス吸引口５とガス吸引導管６を連通して取り付ける。
【００２４】
前記した空気吐出導管３とガス吸引導管６をそれぞれ空気圧送兼ガス吸引の両機能を果たすパイプ８に連通する。
【００２５】
その連通の仕方は、空気吐出制御機構１に設けたそれぞれの空気吐出口２にはそれぞれ空気吐出導管３を連通して取り付ける。
【００２６】
ガス吸引制御機構４に設けたそれぞれのガス吸引口５にはそれぞれガス吸引導管６を連通して取り付ける。
【００２７】
空気吐出制御機構１の空気吐出口２に取り付けたその空気吐出導管３の一つ一つの空気吐出導管３と、ガス吸引制御機構４のガス吸引口６に取り付けたガス吸引導管６一つ一つのガス吸引導管６を以てそれぞれ一組の空気吐出導管３とガス吸引導管６とする。
【００２８】
それぞれの一組の空気吐出導管２並に、ガス吸引導管６の先端毎には、空気供給制御機構１、ガス吸引制御機構４から、それぞれの区画タンク２０の形成位置に達する長さの空気圧送機能兼ガス吸引機能を果たすパイプ８に三方切り替え弁７を介在させて連通する。
【００２９】
その兼用パイプ８の先端開口には図１に示すように三方切替弁９を介在させて、或は図２に示すように切替弁９を介在させないで二股分岐管１０を介在させて配し、二股分岐管１０の一方の枝管には逆止弁を取り付けたガス吸引パイプ１４を介してガス吸引筒１５を、他方の枝管には空気圧入パイプ１１を介して空気圧入管１３を取り付け、空気圧入筒１３とガス吸引筒１５を一対のものとして配設して一対のものとした空気圧入筒１３並にガス吸引筒１５を各区画タンク２０内に位置させて配設する。
図２に示すように三方切替弁を介在させない型式の構造とするときは、空気圧入パイプに逆止弁１２Aをガス吸引パイプには逆止弁１２Bを介在させる。この逆止弁１２A、１２Bは三方切替弁９の役割を示すものであることは勿論である。
【００３０】
本発明を構成する装置に配されるガス吸引筒１４は、従来型の一本の長管１７の上側に切替弁１６を介して、鉤型に折り曲げた短管１８を前記長管１７と長管１７よりも短足となる短尺筒１８を連通し、その形状はあたかもローマ字の活字体の小文字の跛のh風形の筒となるように取り付ける構成とした。前記したようにその鉤型の折り曲げ管１８の取り付け箇所には切り替え弁１６が設けられた構成とした。
【００３１】
前記した分岐管１０の一方の枝管に空気圧入パイプ１１を介して取り付ける空気圧入筒１３の空気圧入パイプには、空気の圧入、停止の操作時の空気圧入筒内の気圧変化により、万一水が空気圧入筒内を遡上するのを阻止する安全対策のために逆止弁１２を取り付ける構成とすることがある。
【００３２】
複数に区切ったバラストタンクの区画タンク２０の中、特定の区画タンク２０の水位状態を調べようとするときは、その操作に当たってレベル検知装置を稼動する。
【００３３】
その際、空気吐出制御機構１に配された空気吹出部材（図示しない）に設けられた複数の空気吐出口２の中、特定の区画タンク２０に配された空区圧入筒１３に向かって空気を吹き出す空気吐出口２と、これに連通する空気吐出導管３とこの空気吐出導管３に連通する特定の区画タンクの配設箇所に達する長さの空気吐出ガス吸引を兼用するパイプ８の入り口を繋ぐ箇所に配された切り替え弁７を空気が兼用パイプ８に吐出するような開口状態としておく。
【００３４】
更に、前記空気吹込ガス吸引兼用パイプ８の末端に取り付けられた二股分岐管１０の配置位置に配置する切り替え弁９も、空気圧入筒を配する枝管に連通にするように開弁しておく。
【００３５】
この状態下で空気吐出制御機構１に配された空気吐出部材（図示しない）の空気吐出口２から空気が吐き出し吐出空気が、空気吐出口２から空気吐出管３を通ってガス吸引兼用パイプ８からこれに取り付けられた分岐管１０の枝管を通り前記した注水された区画タンク２０に配された空気圧入筒１３に圧入される。
【００３６】
この操作によって、注水された区画タンクに配設された空気圧入筒１３内に吐出され区画タンクの注水状態により、空気圧入筒１３内に吐出された空気による空気圧入筒１３内の気圧現象が生じ、その現象は空気吐出制御機構１に配された器具（図示しない）に伝達され、その伝達に対応する機能が前記機構から発揮される。
【００３７】
これとは別に、前記区画タンク２０内のガス漏洩状態を調べようとするときは、前記した空気吐出経路を遮断しておきガス検知装置を稼動する。
【００３８】
この際、ガス吸引制御機構４に配されたガス吸引部材（図示しない）に設けられた複数のガス吸引口５の中、特定の区画タンク２０からガスを吸引するガス吸引口５と連通する特定の区画タンク２０配設箇所に達する長さの空気吐出、ガス吸引を兼用するパイプ８の入口を繋ぐ箇所に配された切り替え弁７を開口状態としておき、更に前記空気吐出、ガス吸引兼用のパイプ８の末端に取り付けられた二股分岐管１０の配置位置に配置する切り替え弁９もガス吸引筒１４を配する枝管が連通するように開弁しておく。この状態下でガス吸引制御機構４に配されたガス吸引部材のガス吸引口５からガスの吸引が行われ、その吸引力は、空気吐出ガス吸引兼用パイプ８から分岐管の枝管１０を通って、前記した区画タンク２０に配されたガス吸引筒１５に作用し、そのガス吸引筒１５は区画タンク２０に漏洩されたガスを吸引する。これによりガス吸引制御機構４は前記した区画タンク２０内のガス漏洩状態をキャッチし、その状態に対応する機能を発揮する。
【００３９】
本発明を構成する装置に配されるガス吸引筒１５は、従来型の一本の長足型の長尺筒１７の上側寄りに短足の鉤型に折り曲げたガス吸引短尺筒１８を切替弁１６を介して、前記長尺筒１７と連通するように取り付ける構成とした。前記したようにその鉤型の折り曲げ管の取り付け箇所には切り替え弁が設けられているので、この切り替え弁の操作によって、区画タンク２０内の水位が、前記長管１７の先端を沈むような状態に達し、ガスの吸引が出来なくなったときには、切替弁１６を操作して鉤型折曲短尺筒１８の吸引力を働くようにしておけば区画タンク内の水を吸い上げることなくその水位上に漏洩したガスの吸引が出来ることになる。
【００４０】
従って、本発明を構成するガス吸引筒は従来のガス吸引筒のような不都合を生じるようなことはない。
【符号の説明】
【００４１】
１  空気吐出制御機構
２  空気吐出口
３  空気吐出導管
４  ガス吸引制御機構
５  ガス吸引口
６  ガス吸引導管
７  三方切替弁
８  空気圧送ガス吸引兼用パイプ
９  三方切替弁
１０  二股分岐管
１１  空気圧入パイプ
１２  逆止弁
１３  空気圧入筒
１４  ガス吸引パイプ
１５  ガス吸引筒
１６  三方切替弁
１７  ガス吸引長尺筒
１８  ガス吸引短尺筒
２０  区画タンク
【図１】
2016188023.tif 000003
【図２】
2016188023.tif 000004